(57)【特許請求の範囲】
【請求項１】
少なくとも２つの下階建物ユニットの壁部の無い辺同士を突き合わせて隣接配置し、該下階建物ユニットの上に、少なくとも２つの建物ユニットの壁部と壁部との間に梁材を掛け渡し、該梁材に、前記壁部と壁部との間の距離よりも短い上階ユニットを装着するとともに、
前記梁材と前記上階ユニットの木製の根太との間には、先端周縁を該根太に食い込ませるシアプレートを介在させ、前記シアプレートは逆Ｌ字型の金属製プレートに予め固着され、該プレートには前記梁材の上部に当接するフランジ部が一体に形成されており、該シアプレートに挿通されるボルト部材で前記梁材を根太に締結することを特徴とするユニット建物。
【請求項２】
少なくとも２つの下階建物ユニットの壁部の無い辺同士を突き合わせて隣接配置し、該下階建物ユニットの上に、少なくとも２つの建物ユニットの壁部と壁部との間に鋼製の梁材を掛け渡し、該梁材に、前記壁部と壁部との間の距離よりも短い上階ユニットを装着するとともに、
前記梁材と前記上階ユニットの木製の根太との間には、先端周縁を該根太に食い込ませるシアプレートを介在させ、前記シアプレートは前記梁材の側面部に予め一体に固着されおり、該シアプレートに挿通されるボルト部材で前記梁材を根太に締結することを特徴とするユニット建物。
【請求項３】
少なくとも２つの下階建物ユニットの壁部の無い辺同士を突き合わせて隣接配置し、該下階建物ユニットの上に、少なくとも２つの建物ユニットの壁部と壁部との間に梁材を掛け渡し、該梁材に、前記壁部と壁部との間の距離よりも短い上階ユニットを装着すると共に、該梁材の側面には、隣接する他の上階ユニットを支持する支持部が予め形成されており、
前記梁材と前記上階ユニットの木製の根太との間には、先端周縁を該根太に食い込ませるシアプレートを介在させ、前記シアプレートは逆Ｌ字型の金属製プレートに予め固着され、該プレートには前記梁材の上部に当接するフランジ部が一体に形成されており、該シアプレートに挿通されるボルト部材で前記梁材を根太に締結することを特徴とするユニット建物。
【請求項４】
少なくとも２つの下階建物ユニットの壁部の無い辺同士を突き合わせて隣接配置し、該下階建物ユニットの上に、少なくとも２つの建物ユニットの壁部と壁部との間に鋼製の梁材を掛け渡し、該梁材に、前記壁部と壁部との間の距離よりも短い上階ユニットを装着すると共に、該梁材の側面には、隣接する他の上階ユニットを支持する支持部が予め形成されており、
前記梁材と前記上階ユニットの木製の根太との間には、先端周縁を該根太に食い込ませるシアプレートを介在させ、前記シアプレートは前記梁材の側面部に予め一体に固着されおり、該シアプレートに挿通されるボルト部材で前記梁材を根太に締結することを特徴とするユニット建物。
【請求項５】
前記支持部は、略水平に突設されて、下方から、隣接する他の上階ユニットの側縁部を支持するフランジ面であることを特徴とする請求項３又は請求項４に記載のユニット建物。
【発明の詳細な説明】
【０００１】
【発明の属する技術分野】
この発明は、住宅用等、建築物を複数の建物ユニットで構成するユニット建物のうち、特に、上下階で、床面積が異なるユニット建物、梁の接合構造及び該ユニット建物の梁の接合構造に関するものである。
【０００２】
【従来の技術】
従来のユニット建物１としては、建物ユニットのうち、下階ユニット２…を縦横２個づつ配置し、広い空間を形成する技術が知られている。
【０００３】
出願人らは、特願平１１−７９５６号等にて、図１９及び図２０に示すユニット建物１を提案している。このユニット建物１では、下階ユニット２の短片２つ分の長さを持つ上階ユニット３が、下階ユニット２，２の４つに跨る形で配置されている。この上階ユニット３の床部３ａの両側縁には、上面視略ニの字状の壁部３ｂ，３ｂが形成されている。
【０００４】
そして、この上階ユニット３の両側には、床部４ａの直交する２辺に上面視略Ｌ字型の壁部４ｂ，４ｃを有する上階ユニット４，４が、各々２個づつ配置されている。
【０００５】
また、図２０に示すものでは、下階ユニット２の短片２つ分の長さを持つ上階ユニット５が下階ユニット２，２の４つに跨る形で配置されている。この上階ユニット５では、上階の床部５ａに、上面視略ニの字状の壁部５ｂ，５ｃが形成されている共に、この壁部５ｂの外側のセットバック部には、床部５ａの一部５ｄを用いて、バルコニー部６が形成されている。
【０００６】
【発明が解決しようとする課題】
しかしながら、このような従来の建物ユニットでは、以下のような問題点があった。
【０００７】
例えば、前記床部５ａの一部５ｄを下階屋根部として使用する場合には、床部５ａを構成する床部の上に屋根を載せる構造となる。このため、構造効率が良好であるとは言い難かった。
【０００８】
また、図１９に示す上階ユニット４の床部４ａは、下階ユニット２と略同一長さの長短辺のみを有しているので、前記壁部４ｂ，４ｃ立設部分の２辺は、下方から支持されるが、他の２辺は下方から支持する為に、別途梁材等を掛け渡さなければならず、部品点数を増大させてしまうといった問題があった。
【０００９】
そこで、本発明の目的は、上記の問題点を解消し、上階部分のセットバック部の構造効率が良好で、しかも、有効に隣接する他の建物ユニットを支持できるユニット建物、梁の接合構造及び該ユニット建物の梁の接合構造を提供することを目的としている。
【００１０】
【課題を解決するための手段】
上記課題を解決するために、本発明では、少なくとも２つの下階建物ユニットの壁部の無い辺同士を突き合わせて隣接配置し、該下階建物ユニットの上に、少なくとも２つの建物ユニットの壁部と壁部との間に梁材を掛け渡し、該梁材に、前記壁部と壁部との間の距離よりも短い上階ユニットを装着したユニット建物を特徴としている。
【００１１】
このように構成されたものでは、壁部と壁部との間に掛け渡された梁材で、例えば、下階屋根部を支持するように構成出来るので、従来のように、床部が介在することなく、構造効率が良好である。
【００１２】
また、少なくとも２つの下階建物ユニットの壁部の無い辺同士を突き合わせて隣接配置し、該下階建物ユニットの上に、少なくとも２つの建物ユニットの壁部と壁部との間に梁材を掛け渡し、該梁材に、前記壁部と壁部との間の距離よりも短い上階ユニットを装着すると共に、該梁材の側面には、隣接する他の上階ユニットを支持する支持部が予め形成されているユニット建物を特徴としている。
【００１３】
このように構成されたものでは、前記梁材の側面に予め形成された支持部が、隣接する他の上階ユニットを支持するので、別途、他の上階ユニットの為に梁材等を掛け渡す必要が無くなり、部品点数の増大を抑制できる。
【００１４】
更に、前記支持部は、略水平に突設されて、下方から、隣接する他の上階ユニットの側縁部を支持するフランジ面である上記のユニット建物を特徴としている。
【００１５】
このように構成されたものでは、支持部としてのフランジ面に、隣接する他の上階ユニットを上方から載置するだけで、下方から該他の上階ユニットが支持される構造を得られる。このため、施工作業性が良好である。
【００１６】
また、木製の根太に梁材を装着する梁の接合構造であって、前記根太には、前記梁材から突設されて、先端周縁に形成した突起部を該根太に食い込ませる筒状金物を貫通させると共に、該筒状金物に挿通されるボルト部材で、前記梁材を根太に締結する梁の接合構造を特徴としている。
【００１７】
このように構成されたものでは、前記根太に、突起部を食い込ませて貫通された筒状金物に対して、前記梁材を根太に締結するボルト部材が挿通されているので、部分圧縮により、根太の梁材が装着された箇所が変形する虞を減少させることが出来る。このため、例えば多数の釘等を用いなくとも、数本のボルト部材で、前記梁材を床部に装着出来るので、施工作業性が良好である。
【００１８】
そして、木製の根太に梁材を装着する梁の接合構造であって、前記根太と、前記梁材との間には、先端周縁を該根太に食い込ませるシアプレートを介在させると共に、該シアプレートに挿通されるボルト部材で、前記梁材を根太に締結する梁の接合構造を特徴としている。
【００１９】
このように構成されたものでは、前記先端周縁を該根太に食い込ませるシアプレートに対して、前記梁材を根太に締結するボルト部材が挿通されているので、部分圧縮により、根太の梁材が装着された箇所が変形する虞を減少させることが出来る。このため、例えば多数の釘等を用いなくとも、数本のボルト部材で、前記梁材を床部に装着出来るので、施工作業性が良好である。
【００２０】
そして、前記シアプレートは、逆Ｌ字型のプレートに予め固着されていると共に、該プレートには、前記梁材の上部に当接するフランジ部が一体に形成されている上記の梁の結合構造を特徴としている。
【００２１】
このように構成されたものでは、前記フランジ部が、前記シアプレートを介して伝達する根太の重量を前記梁材に分散させて、該根太の撓み量を減少させることが出来る。
【００２２】
また、例えば、固定に用いる前記梁材のボルト孔は、ルーズホールとする事が出来るので、施工性が良好である。
【００２３】
そして、前記シアプレートが、前記梁材の側面部に予め一体に固着されているので、前記シアプレートを介して伝達される根太の重量が前記梁材に分散されて、該根太の撓み量が減少する。
【００２４】
また、例えば、固定に用いる前記梁材のボルト孔は、ルーズホールとする事が出来るので、施工性が良好である。
【００２５】
更に、木製の根太に梁材を装着する梁の接合構造であって、前記根太には、両側から挟持する一対の取付面部を有する断面略凹状の支持具を下方から該根太に装着すると共に、該支持具の両取付面に挿通されるボルト部材で、前記梁材を該支持具に固定することにより、根太に該梁材を装着する梁の接合構造を特徴としている。
【００２６】
このように構成されたものでは、下方から該根太に装着された断面略凹字状の支持具の両取付面に、梁材を該支持具に固定するボルト部材が挿通されているので、部分圧縮により、根太の梁材が装着された箇所が変形する虞を減少させることが出来る。
【００２７】
このため、例えば多数の釘等を用いなくとも、数本のボルト部材で、前記梁材を床部に装着出来るので、施工作業性が良好である。
【００２８】
また、前記根太が上階ユニットの根太であると共に、前記梁材を、少なくとも２つの下階建物ユニットの壁部の無い辺同士を突き合わせて隣接配置した下階建物ユニットの上に、壁部と壁部との間に跨るように掛け渡し、該梁材に、前記壁部と壁部との間の距離よりも短い上階ユニットを装着した上記のうち何れか一項記載の梁の接合構造を有するユニット建物を特徴としている。
【００２９】
このように構成されたものでは、上階ユニットの大きさに関わらず、上階部分が、下方から確実に前記梁材を介して下階の壁部で支持される。このため、セットバック量に応じて上階ユニットの大きさを設定する事が出来るので、敷地対応性が良好である。
【００３０】
更に、前記根太が上階ユニットの根太であると共に、前記梁材を、少なくとも２つの下階建物ユニットの壁の無い辺同士を突き合わせて隣接配置した下階建物ユニットの上に、跨るように掛け渡し、該梁材に、前記壁部と壁部との間の距離よりも短い上階ユニットを装着すると共に、該梁材の側面には、隣接する他の上階ユニットを支持する支持部が予め形成されている上記のうち何れか一項記載の梁の接合構造を有するユニット建物を特徴としている。
【００３１】
このように構成されたものでは、前記の作用に加えて、更に、隣接する他の上階ユニットが、大きさに関わらず、下方から前記上階ユニットを支持する同じ梁材を介して下階の壁部で支持される。このため、隣接する上階建物ユニットの床部間の剪断変形が、抑制される。このため、段差等を生じる虞が減少し、この点に置いても、設計の自由度が拡大する。
【００３２】
【発明の実施の形態１】
以下、本発明の具体的な実施の形態１について、図示例と共に説明する。
【００３３】
図１〜図７は、この発明の実施の形態１の梁の接合構造を有するユニット建物を示すものである。なお、前記従来例と同一乃至均等な部分については、同一符号を付して説明する。
【００３４】
まず、構成を説明すると、この実施の形態１のユニット建物１１では、下階の建物ユニット２…を、壁部の無い辺同士を突き合わせて隣接配置し、縦横２個づつで、計４つ配置し、広い空間、例えば居間等を形成するものである。
【００３５】
これらの下階建物ユニット２，２の上には、少なくとも２つの建物ユニット２，２の壁部２ａと壁部２ａとの間に掛け渡される梁材としての鋼製梁材１３，１３が、一対設けられている。
【００３６】
このユニット建物１１では、下階の建物ユニット２の短片２つ分の長さよりも短い間隔で、床部１２ａの両側縁に、上面視略ニの字状の壁部１２ｂ，１２ｂが形成されている上階ユニット１２が、前記鋼製梁材１３，１３を用いて、下階ユニット２，２の４つに跨る形で、左右の根太としての木製の側根太１２ｃ，１２ｃに装着されて、配置されている。
【００３７】
この鋼製梁材１３には、長尺の断面略Ｌ字状を呈し、前記側根太１２ｃ，１２ｃに、４本のボルト部材１４…及びナット部材１５…を用いて装着される側根太装着縦面部１３ａを有している。
【００３８】
この側根太装着縦面部１３ａには、図５に示すように、略等間隔ａ＝ｂ＝ｃ（約１００ｃｍ）を置いてボルト孔１３ｄ…が、計４つ形成されている。これらの間隔ａ等は、側根太１２ｃの端縁１２ｄまでの距離ｄ（約３３ｃｍ）よりも長く設定されている。
【００３９】
また、この鋼製梁材１３には、この側根太装着縦面部１３ａ下縁側面から側方に略水平に突設されて、隣接する他の上階ユニット４，４の側縁部４ｄ，４ｄを各々下方から支持する支持部としてのフランジ面１３ｂが、予め一体となるように形成されている。
【００４０】
このうち、フランジ面１３ｂの側端縁近傍には、図４に示すように、下階建物ユニット２の壁部２ａ上面から突設された取付ボルト２ｂが挿通されて、ワッシャ部材１６を介して、ナット部材１７で締結される取付孔１３ｃが形成されている。
【００４１】
この上階ユニット１２は、前記壁部１２ｂ，１２ｂ間の距離が、壁部２ａと壁部２ａとの間の距離よりも短くなるように設定されている。
【００４２】
そして、この上階ユニット１２の両側には、床部４ａの直交する２辺に上面視略Ｌ字型の壁部４ｂ，４ｃを有する上階ユニット４，４が、各々２個づつ配置されている。
【００４３】
次に、この実施の形態１の梁の接合構造を有するユニット建物１１の作用について、施工順序に沿って説明する。
【００４４】
この実施の形態１のユニット建物１１では、まず、図５に示すように、前記側根太１２ｃ，１２ｃに、４本のボルト部材１４…及びナット部材１５…を用いて、前記一対の鋼製梁材１３，１３の側根太装着縦面部１３ａ，１３ａが各々装着される。
【００４５】
この際、前記側根太１２ｃの下面と、この鋼製梁材１３のフランジ面１３ｂの下面とは、略面一となるように装着される。
【００４６】
次に、図１及び図４に示すように、これらの鋼製梁材１３，１３が、下階ユニット２，２の４つに跨るように、建物ユニット２，２の壁部２ａと壁部２ａとの間に掛け渡されて、ナット部材１７等を用いて固定される。
【００４７】
そして、図２に示すように、この上階ユニット１２の両側に、床部４ａの直交する２辺に上面視略Ｌ字型の壁部４ｂ，４ｃを有する上階ユニット４，４が、各々２個づつ配置される。
【００４８】
これらの上階ユニット４では、前記側縁部４ｄを装着する切り欠き４ａが、前記フランジ面１３ｂの厚みと略同じ高さ予めカット形成されることにより、上方から載置された状態で、床パーチクルボード４ｆまでの高さＨが、下階ユニット２の上端レベルに合うように設定されている。これらのフランジ面１３ｂ及び前記側縁部４ｄ間は、ボルト部材１８及びナット部材１９で固定される。
【００４９】
このように、壁部２ａと壁部２ａとの間に掛け渡された鋼製梁材１３，１３で、例えば、図３中二点鎖線で示す位置に下階屋根部２０を形成し、下方から支持するように構成出来るので、従来のように、下階屋根部２０と下階ユニット２との間に床部が介在することなく、構造効率が良好である。
【００５０】
また、前記鋼製梁材１３の側面に予め形成されたフランジ面１３ｂが、隣接する他の上階ユニット４を支持するので、別途、他の上階ユニット４，４の為に梁材等を掛け渡す必要が無くなり、部品点数の増大を抑制できる。
【００５１】
更に、支持部としてのフランジ面１３ｂに、隣接する他の上階ユニット４を上方から載置するだけで、下方から他の上階ユニット４が支持される構造を得られる。このため、前記図４に示すように、建物ユニット固定用の取付ボルト２ｂが使用できて、施工作業性が良好である。
【００５２】
更に、上階ユニット１２の大きさに関わらず、上階部分が、下方から確実に前記鋼製梁材１３，１３を介して下階ユニット２，２の壁部２ａ，２ａで支持される。このため、セットバック量に応じて上階ユニット１２の大きさを設定する事が出来るので、敷地対応性が良好である。
【００５３】
更に、隣接する他の上階ユニット４も、大きさに関わらず、下方から前記上階ユニット１２を支持する同じ鋼製梁材１３のフランジ面１３ｂを介して下階ユニット２，２の壁部２ａ，２ａで支持される。このため、隣接する上階建物ユニット１２，４の床部間の剪断変形が、抑制される。このため、段差等を生じる虞が減少し、この点に置いても、設計の自由度が拡大する。
【００５４】
【変形例１】
図８及び図９は、この実施の形態１の変形例１の梁の接合構造を示すものである。なお、前記実施の形態１と同一乃至均等な部分については、同一符号を付すと共に、比較の為、図１７に、一般的な梁の接合構造を示す。
【００５５】
まず、構成を説明すると、この変形例１の梁の接合構造では、前記側根太１２ｃには、前記鋼製梁材１３のボルト孔１３ｄに挿通されると共に突設されて、先端周縁に形成された鋸歯状の突起部２１ａをこの側根太１２ｃに食い込ませる筒状金物２１が貫通されるようにしている。
【００５６】
この筒状金物２１に挿通されるボルト部材１４及びナット部材１５で、前記鋼製梁材１３を側根太１２ｃに締結するようにしている。
【００５７】
また、図１７に示すように一般的に用いられるボルト部材１４及びナット部材１５の締結と併用して、釘２２…を複数用いる梁の接合構造では、１０数本一列にこれらの釘を打つことにより、所望の取付強度を得るようにしている。
【００５８】
このように構成された変形例１では、前記側根太１２ｃに、突起部２１ａが食い込ませられて、貫通された筒状金物２１に対して、前記鋼製梁材１３が側根太１２ｃに締結するボルト部材１４が、内部に挿通されているので、この筒状金物２１の径により拡大した接触面積分、圧縮により、側根太１２ｃの鋼製梁材１３が装着された箇所が変形する虞を減少させることが出来る。
【００５９】
このため、例えば、比較例として説明した図１７に示すように多数の釘２２…等を用いなくとも、数本のボルト部材１４で、前記鋼製梁材１２を床部１２に装着出来る。
【００６０】
このため、施工作業性が良好である。
【００６１】
他の構成及び、作用効果については、前記実施の形態１と略同様であるので、説明を省略する。
【００６２】
【変形例２】
図１０及び図１１は、この実施の形態１の変形例２の梁の接合構造を示すものである。なお、前記実施の形態１と同一乃至均等な部分については、同一符号を付して説明する。
【００６３】
まず、構成を説明すると、この変形例２の梁の接合構造では、前記側根太１２ｃには、前記側根太１２ｃと、前記鋼製梁材１３との間に介在され、先端周縁２３ａを、食い込ませる略円盤状のシアプレート２３が設けられている。
【００６４】
そして、このシアプレート２３の略中央に形成された挿通孔２３ｂに、前記ボルト部材１４が挿通されることにより、前記鋼製梁材１３を側根太１２ｃにナット部材１５を用いて締結するように構成されている。
【００６５】
このように構成された変形例２では、前記先端周縁２３ａが側根太１２ｃに食い込ませられたシアプレート２３に対して、前記鋼製梁材１３を側根太１２ｃに締結するボルト部材１４が挿通されているので、部分圧縮により、側根太１２ｃの鋼製梁材１３が装着された箇所が変形する虞を減少させることが出来る。
【００６６】
このため、例えば、多数の釘等を用いなくとも、数本のボルト部材で、前記鋼製梁材１３を床部１２ａに装着出来るので、施工作業性が良好である。
【００６７】
他の構成及び、作用効果については、前記実施の形態１と略同様であるので、説明を省略する。
【００６８】
【変形例３】
図１２は、この実施の形態１の変形例３の梁の接合構造を示すものである。なお、前記実施の形態１と同一乃至均等な部分については、同一符号を付して説明する。
【００６９】
まず、構成を説明すると、この変形例３の梁の接合構造では、前記側根太１２ｃには、前記側根太１２ｃと、前記鋼製梁材１３との間に介在され、先端周縁２４ａを、食い込ませる前記変形例２のシアプレート２３よりもやや大径の略円盤状のシアプレート２４が設けられている。
【００７０】
そして、このシアプレート２４の略中央に形成された挿通孔２４ｂに、前記ボルト部材１４が挿通されることにより、前記鋼製梁材１３を側根太１２ｃにナット部材１５を用いて締結するように構成されている。
【００７１】
このように構成された変形例３では、前記先端周縁２４ａが側根太１２ｃに食い込ませられたシアプレート２４に対して、前記鋼製梁材１３を側根太１２ｃに締結するボルト部材１４が挿通されているので、部分圧縮により、側根太１２ｃの鋼製梁材１３が装着された箇所が変形する虞を減少させることが出来る。
【００７２】
このため、例えば、多数の釘等を用いなくとも、数本のボルト部材で、前記鋼製梁材１３を床部１２ａに装着出来るので、施工作業性が良好である。
【００７３】
他の構成及び、作用効果については、前記実施の形態１と略同様であるので、説明を省略する。
【００７４】
【変形例４】
図１３及び図１４は、この実施の形態１の変形例４の梁の接合構造を示すものである。なお、前記実施の形態１と同一乃至均等な部分については、同一符号を付して説明する。
【００７５】
まず、構成を説明すると、この変形例４の梁の接合構造では、前記側根太１２ｃには、前記側根太１２ｃと、前記鋼製梁材１３との間に介在され、先端周縁２４ａを、食い込ませる前記変形例２のシアプレート２３よりもやや大径の略円盤状のシアプレート２４が、金属製の逆Ｌ字型のプレート１２４に一体に溶着されて設けられている。このプレート１２４には、溶着部１２４ｃによって、前記シアプレート２４が固定される側面部１２４ａと、前記鋼製梁材１３の上部１３ｅに当接するフランジ部１２４ｂとが、側面視逆Ｌ字状となるように一体に形成されている。
【００７６】
そして、このシアプレート２４の略中央に形成された挿通孔２４ｂに、前記ボルト部材１４が、梁側座金２７及び根太側座金２８を介在させて挿通されることにより、前記鋼製梁材１３を側根太１２ｃにナット部材１５を用いて締結されるように構成されている。
【００７７】
このように構成された変形例４では、前記変形例３の作用効果に加えて更に、前記フランジ部１２４ｂが、前記シアプレート２４を介して伝達する側根太１２ｃの重量を前記鋼製梁材１３に分散させて、この側根太１２ｃの撓み量を減少させることが出来る。
【００７８】
また、例えば、固定に用いる前記鋼製梁材１３のボルト孔１３ｆは、ルーズホールとする事が出来るので、施工性が良好である。
【００７９】
他の構成及び、作用効果については、前記実施の形態１と略同様であるので、説明を省略する。
【００８０】
【変形例５】
図１５及び図１６は、この実施の形態１の変形例５の梁の接合構造を示すものである。なお、前記実施の形態１と同一乃至均等な部分については、同一符号を付して説明する。
【００８１】
まず、構成を説明すると、この変形例５の梁の接合構造では、前記側根太１２ｃには、前記側根太１２ｃと、前記鋼製梁材１３との間に介在され、先端周縁２４ａを、食い込ませる前記変形例２のシアプレート２３よりもやや大径の略円盤状のシアプレート２４が、鋼製梁材１１３の側面部１１３ａに予め一体に溶着されて設けられている。このシアプレート２４は、溶着部１２４ｃによって、前記１１３ａに溶着されている。
【００８２】
そして、このシアプレート２４の略中央に形成された挿通孔２４ｂに、前記ボルト部材１４が、梁側座金２７及び根太側座金２８を介在させて挿通されることにより、前記鋼製梁材１１３を側根太１２ｃにナット部材１５を用いて締結されるように構成されている。
【００８３】
また、前記側根太１２ｃの側面部には、このシアプレート２４を嵌着させる環状溝部１２ｇが形成されている。
【００８４】
このように構成された変形例５では、前記変形例４の作用効果に加えて更に、前記シアプレート２４を介して伝達される側根太１２ｃの重量が前記鋼製梁材１３に分散されて、この側根太１２ｃの撓み量を減少させることが出来る。
【００８５】
また、例えば、固定に用いる前記鋼製梁材１３のボルト孔１３ｆは、ルーズホールとする事が出来るので、施工性が良好である。
【００８６】
他の構成及び、作用効果については、前記実施の形態１と略同様であるので、説明を省略する。
【００８７】
【変形例６】
図１７は、この実施の形態１の変形例６の梁の接合構造を示すものである。なお、前記実施の形態１と同一乃至均等な部分については、同一符号を付して説明する。
【００８８】
まず、構成を説明すると、この変形例６の梁の接合構造では、前記床部１２ａの側根太１２ｃに前記鋼製梁材１３を装着する梁の接合構造である。前記側根太１２ａには、両側から挟持する一対の取付面部２５ａ，２５ａを有する断面略凹状の支持具２５が下方からこの側根太１２ａに嵌着されている。
【００８９】
また、前記側根太１２ｃの内部には、この支持具２５の両取付面２５ａ，２５ａに挿通されるボルト部材１４の周囲に、このボルト部材１４の雄ネジ部１４ａの径（約２０ｍｍ）よりもやや大径（約３０ｍｍ）のルーズホール２６が形成されている。
【００９０】
そして、前記鋼製梁材１３をこの支持具２５によって固定することにより、側根太１２ｃにこの鋼製梁材１３が装着されるように構成されている。
【００９１】
次に、この変形例６の作用について説明する。
【００９２】
このように構成された変形例６の梁の接合構造では、下方から側根太１２ｃに嵌着された断面略凹字状の支持具２５の両取付面２５ａ，２５ａに、鋼製梁材１３をこの支持具２５に固定するボルト部材１４が挿通されているので、部分圧縮により、側根太１２ｃの鋼製梁材１３が装着された箇所が変形する虞を減少させることが出来る。
【００９３】
このため、例えば多数の釘等を用いなくとも、数本のボルト部材１４…で、前記鋼製梁材１３を床部１２ａに装着出来るので、施工作業性が良好である。
【００９４】
他の構成及び、作用効果については、前記実施の形態１と略同様であるので、説明を省略する。
【００９５】
【変形例７】
図１８は、この実施の形態１の変形例７の梁の接合構造を示すものである。なお、前記実施の形態１及び変形例７と同一乃至均等な部分については、同一符号を付して説明する。
【００９６】
まず、構成を説明すると、この変形例７の梁の接合構造では、前記床部１２ａの側根太１２ｃの前記鋼製梁材１３装着側側面に、予め凹部１２ｆが形成されている。そして、この凹部１２ｆに、支持具１２５の一方の取付面部１２５ａが係合するように構成されている。
【００９７】
他の構成及び、作用効果については、前記実施の形態１及び変形例６と略同様であるので、説明を省略する。
【００９８】
【発明の効果】
以上説明してきたように、本発明によれば、壁部と壁部との間に掛け渡された梁材で、例えば、下階屋根部を支持するように構成出来るので、従来のように、床部が介在することなく、構造効率が良好である。
【００９９】
また、前記梁材の側面に予め形成された支持部が、隣接する他の上階ユニットを支持するので、別途、他の上階ユニットの為に梁材等を掛け渡す必要が無くなり、部品点数の増大を抑制できる。
【０１００】
更に、支持部としてのフランジ面に、隣接する他の上階ユニットを上方から載置するだけで、下方から該他の上階ユニットが支持される構造を得られる。このため、施工作業性が良好である。
【０１０１】
また、木製の根太に梁材を装着する梁の接合構造であって、前記根太には、前記梁材から突設されて、先端周縁に形成した突起部を該根太に食い込ませる筒状金物を貫通させると共に、該筒状金物に挿通されるボルト部材で、前記梁材を根太に締結する梁の接合構造を特徴としている。
【０１０２】
このように構成されたものでは、前記根太に、突起部を食い込ませて貫通された筒状金物に対して、前記梁材を根太に締結するボルト部材が挿通されているので、部分圧縮により、根太の梁材が装着された箇所が変形する虞を減少させることが出来る。このため、例えば多数の釘等を用いなくとも、数本のボルト部材で、前記梁材を床部に装着出来るので、施工作業性が良好である。
【０１０３】
そして、木製の根太に梁材を装着する梁の接合構造であって、前記根太と、前記梁材との間には、先端周縁を該根太に食い込ませるシアプレートを介在させると共に、該シアプレートに挿通されるボルト部材で、前記梁材を根太に締結する梁の接合構造を特徴としている。
【０１０４】
このように構成されたものでは、前記先端周縁を該根太に食い込ませるシアプレートに対して、前記梁材を根太に締結するボルト部材が挿通されているので、部分圧縮により、根太の梁材が装着された箇所が変形する虞を減少させることが出来る。このため、例えば多数の釘等を用いなくとも、数本のボルト部材で、前記梁材を床部に装着出来るので、施工作業性が良好である。
【０１０５】
そして、前記フランジ部が、前記シアプレートを介して伝達する根太の重量を前記梁材に分散させて、該根太の撓み量を減少させることが出来る。
【０１０６】
また、例えば、固定に用いる前記梁材のボルト孔は、ルーズホールとする事が出来るので、施工性が良好である。
【０１０７】
更に、前記シアプレートを介して伝達される根太の重量が前記梁材に分散されて、該根太の撓み量が減少する。
【０１０８】
また、例えば、固定に用いる前記梁材のボルト孔は、ルーズホールとする事が出来るので、施工性が良好である。
【０１０９】
更に、下方から該根太に装着された断面略凹字状の支持具の両取付面に、梁材を該支持具に固定するボルト部材が挿通されているので、部分圧縮により、根太の梁材が装着された箇所が変形する虞を減少させることが出来る。
【０１１０】
このため、例えば多数の釘等を用いなくとも、数本のボルト部材で、前記梁材を床部に装着出来るので、施工作業性が良好である。
【０１１１】
また、上階ユニットの大きさに関わらず、上階部分が、下方から確実に前記梁材を介して下階の壁部で支持される。このため、セットバック量に応じて上階ユニットの大きさを設定する事が出来るので、敷地対応性が良好である。
【０１１２】
更に、前記の作用に加えて、更に、隣接する他の上階ユニットが、大きさに関わらず、下方から前記上階ユニットを支持する同じ梁材を介して下階の壁部で支持される。このため、隣接する上階建物ユニットの床部間の剪断変形が、抑制される。このため、段差等を生じる虞が減少し、この点に置いても、設計の自由度が拡大する、という実用上有益な効果を発揮し得る。
【図面の簡単な説明】
【図１】本発明の実施の形態１のユニット建物、梁の接合構造及び該ユニット建物の梁の接合構造で下階ユニットに梁材を装着した上階ユニットを載置する様子を説明する斜視図である。
【図２】本発明の実施の形態１のユニット建物、梁の接合構造及び該ユニット建物の梁の接合構造で下階ユニットに梁材を装着した上階ユニットを載置したのち、他の上階ユニットを載置する様子を説明する斜視図である。
【図３】本発明の実施の形態１のユニット建物、梁の接合構造及び該ユニット建物の梁の接合構造で、上階ユニットが載置された様子を説明する斜視図である。
【図４】実施の形態１のユニット建物で、下階ユニットに鋼製梁材を取り付ける様子を説明する分解斜視図である。
【図５】実施の形態１で、木製の根太に鋼製梁材を取り付ける様子を説明する斜視図である。
【図６】実施の形態１で、要部の構成を説明する図３中Ｂ−Ｂ線に沿った位置での断面図である。
【図７】実施の形態１で、要部の構成を説明する図３中Ａ−Ａ線に沿った位置での断面図である。
【図８】実施の形態１の変形例１の梁の接合構造を示し、図３中Ｂ−Ｂ線に対応する位置での断面図である。
【図９】変形例１の梁の接合構造に用いられる筒状部材の斜視図である。
【図１０】変形例２の梁の接合構造を示し、図３中Ｂ−Ｂ線に対応する位置での断面図である。
【図１１】変形例２の梁の接合構造に用いられるシアプレートの斜視図である。
【図１２】変形例３の梁の接合構造に用いられるシアプレートの斜視図である。
【図１３】変形例４の梁の接合構造に用いられるシアプレートが設けられたプレートの斜視図である。
【図１４】変形例４の梁の接合構造に用いられるシアプレートが設けられたプレートの図３中Ｂ−Ｂ線に対応する位置での断面図である。
【図１５】変形例５の梁の接合構造に用いられるシアプレートが設けられたプレートの斜視図である。
【図１６】変形例５の梁の接合構造に用いられるシアプレートが設けられたプレートの図３中Ｂ−Ｂ線に対応する位置での断面図である。
【図１７】変形例６の梁の接合構造を示し、図３中Ｂ−Ｂ線に対応する位置での断面図である。
【図１８】変形例７の梁の接合構造に用いられる支持具を嵌着した側根太の断面斜視図である。
【図１９】従来例の建物ユニットを用いたユニット建物で、構成を説明する分解斜視図である。
【図２０】従来例の建物ユニットを用いたユニット建物で、上階にバルコニーを設けた際の施工を説明する分解斜視図である。
【図２１】比較例として用いた梁の接合構造を示し、図３中Ｂ−Ｂ線に対応する位置での断面図である。
【符号の説明】
４                    上階ユニット
４ｄ                  側縁部
１１                  ユニット建物
１２                  上階ユニット
１２ａ                床部
１２ｃ                側根太（根太）
１３，１１３          鋼製梁材（梁材）
１３ｂ                フランジ面（支持部）
２０                  下階屋根部
２１                  筒状部材
２１ａ                突起部
２３，２４            シアプレート
２３ａ，２４ａ        先端周縁
２５，１２５          支持具
１２４                プレート
１２４ｂ              フランジ部
１２４ｃ              溶着部
【図１】
0004532641.tif 000002
【図２】
0004532641.tif 000003
【図３】
0004532641.tif 000004
【図４】
0004532641.tif 000005
【図５】
0004532641.tif 000006
【図６】
0004532641.tif 000007
【図７】
0004532641.tif 000008
【図８】
0004532641.tif 000009
【図９】
0004532641.tif 000010
【図１０】
0004532641.tif 000011
【図１１】
0004532641.tif 000012
【図１２】
0004532641.tif 000013
【図１３】
0004532641.tif 000014
【図１４】
0004532641.tif 000015
【図１５】
0004532641.tif 000016
【図１６】
0004532641.tif 000017
【図１７】
0004532641.tif 000018
【図１８】
0004532641.tif 000019
【図１９】
0004532641.tif 000020
【図２０】
0004532641.tif 000021
【図２１】
0004532641.tif 000022